(57)【要約】【課題】空調機で冷却除湿された給気を空調対象空間側の再熱部で再熱して空調対象空間へ供給する空調システムにおいて、省エネルギー性を向上しながら、空調対象空間に対して所望の目標吹出温度に調整した吹出空気を供給することができる技術を提供する。【解決手段】空調機１が、外気ＯＡを冷却除湿する外気冷却除湿部４と、当該外気冷却除湿部４で冷却除湿された外気ＯＡに還気ＲＡを混合して混合空気ＭＡを生成する混合部１０と、当該混合部１０で生成された混合空気ＭＡの温度を調整する温度調整部６とを有して、当該温度調整部６で温度調整された混合空気ＭＡを給気ＳＡ１として再熱部２０へ供給するものとして構成され、再熱部２０の作動状態に応じて目標給気温度を設定する目標給気温度設定処理を実行し、温度調整部６の作動状態を制御して空調機１から再熱部２０に供給される給気ＳＡ１の温度を目標給気温度に調整する給気温度制御を実行する制御部５０を備える。【選択図】図１
2019143826.tif 000002
【特許請求の範囲】
【請求項１】
空調機で冷却除湿された給気を、空調対象空間側に設けられた再熱部で当該空調対象空間に対して設定された目標吹出温度に再熱して、前記空調対象空間へ供給する空調システムであって、
前記空調機が、屋外から取り込んだ外気を冷却除湿する外気冷却除湿部と、当該外気冷却除湿部で冷却除湿された外気に屋内から取り込んだ還気を混合して混合空気を生成する混合部と、当該混合部で生成された混合空気の温度を調整する温度調整部とを有して、当該温度調整部で温度調整された混合空気を給気として前記再熱部へ供給するものとして構成され、
前記再熱部の作動状態に応じて目標給気温度を設定する目標給気温度設定処理を実行し、前記温度調整部の作動状態を制御して前記空調機から前記再熱部に供給される給気の温度を前記目標給気温度に調整する給気温度制御を実行する制御部を備えた空調システム。
【請求項２】
前記空調機から供給された給気を複数の空調対象空間の夫々に対して分配供給する複数の分配経路を備え、
前記再熱部が、前記複数の分配経路の夫々に設けられ、
前記制御部が、前記目標給気温度設定処理において、前記複数の分配経路の夫々の再熱部の作動状態に応じて前記目標給気温度を設定する請求項１に記載の空調システム。
【請求項３】
前記制御部が、前記目標給気温度設定処理において、前記複数の空調対象空間の夫々において設定された目標吹出温度を前記夫々の再熱部の作動状態として取得し、前記目標給気温度を、当該取得した夫々の目標吹出温度の最低温度以下に設定する請求項２に記載の空調システム。
【請求項４】
前記制御部が、前記目標給気温度設定処理において、前記複数の空調対象空間の夫々において設定された目標吹出温度を前記夫々の再熱部の作動状態として取得し、前記目標給気温度を、当該取得した夫々の目標吹出温度の最低温度に設定すると共に、前記複数の再熱部の少なくとも１つでの再熱が停止している場合には前記目標給気温度を低下側に補正する請求項３に記載の空調システム。
【請求項５】
前記制御部が、前記目標給気温度設定処理において、前記複数の空調対象空間の夫々において設定された目標吹出温度を前記夫々の再熱部の作動状態として取得し、前記目標給気温度を、当該取得した夫々の目標吹出温度の最低温度よりも所定の余裕分低い温度に設定する請求項３に記載の空調システム。
【請求項６】
前記制御部が、前記目標給気温度設定処理において、前記夫々の再熱部の再熱量を前記夫々の再熱部の作動状態として取得し、前記目標給気温度を、当該取得した夫々の再熱部の再熱量の少なくとも１つが所定の低再熱量となる温度に設定する請求項２に記載の空調システム。
【請求項７】
前記制御部が、前記目標給気温度設定処理において、前記夫々の再熱部の再熱量を前記夫々の再熱部の作動状態として取得し、前記目標給気温度を、当該取得した夫々の再熱部の再熱量の少なくとも１つが０となる温度に設定すると共に、前記空調対象空間の温度が設定温度を超える場合には前記目標給気温度を低下側に補正する請求項６に記載の空調システム。
【請求項８】
前記制御部が、前記目標給気温度設定処理において、前記夫々の再熱部の再熱量を前記夫々の再熱部の作動状態として取得し、前記目標給気温度を、当該取得した夫々の再熱部の再熱量の少なくとも１つが０よりも所定の余裕分高くなる温度に設定する請求項６に記載の空調システム。
【発明の詳細な説明】
【技術分野】
【０００１】
本発明は、空調機で冷却除湿された給気を、空調対象空間側に設けられた再熱部で当該空調対象空間に対して設定された目標吹出温度に再熱して、前記空調対象空間へ供給する空調システムに関する。
【背景技術】
【０００２】
外気を冷却除湿して当該冷却除湿後の外気を給気として供給可能な外調機（空調機の一例）を備え、当該外調機で冷却除湿された給気を、例えば複数の空調対象空間側へ分配供給する空調システムでは、外調機で冷却除湿された給気の温度が、空調対象空間に対して設定された目標吹出温度を下回るものとなる。そこで、このような空調システムとして、空調対象空間側にレヒータと呼ばれる再熱部を設け、その再熱部で外調機から供給された給気を目標吹出温度に再熱した上で、当該再熱された給気を吹出空気として空調対象空間へ供給するものが知られている（例えば、特許文献１を参照。）。
【先行技術文献】
【特許文献】
【０００３】
【特許文献１】特開平０９−２６４５８８号公報
【発明の概要】
【発明が解決しようとする課題】
【０００４】
上記特許文献１に記載の空調システムでは、外調機において、屋外から多くの外気を取り込み、その外気を、還気等を混合することなくそのまま冷却除湿及び再熱を行った上で吹出空気として空調対象空間に供給している。よって、その外調機に取り込んだ多くの外気を冷却除湿するにあたり、その外調機での冷却除湿に必要な冷熱源の負荷が比較的大きくなり、このことも省エネルギー性の向上を阻害する要因の一つとなっていた。
【０００５】
また、外調機において冷却除湿後の外気に比較的高温の還気を混合すると、還気の温度によっては、外調機から空調対象空間側の再熱部へ供給される給気の温度が目標吹出温度よりも高くなる場合がある。そのような場合、再熱部が加熱のみを行うものであることから、空調対象空間に対して所望の温度の吹出空気を供給できなくなるという問題が生じる。
【０００６】
この実情に鑑み、本発明の主たる課題は、空調機で冷却除湿された給気を、空調対象空間側の再熱部で再熱して、空調対象空間へ供給する空調システムにおいて、熱源の負荷を削減して省エネルギー性を向上しながら、空調対象空間に対して所望の目標吹出温度に調整した吹出空気を供給することができる技術を提供する点にある。
【課題を解決するための手段】
【０００７】
本発明の第１特徴構成は、空調機で冷却除湿された給気を、空調対象空間側に設けられた再熱部で当該空調対象空間に対して設定された目標吹出温度に再熱して、前記空調対象空間へ供給する空調システムであって、
前記空調機が、屋外から取り込んだ外気を冷却除湿する外気冷却除湿部と、当該外気冷却除湿部で冷却除湿された外気に屋内から取り込んだ還気を混合して混合空気を生成する混合部と、当該混合部で生成された混合空気の温度を調整する温度調整部とを有して、当該温度調整部で温度調整された混合空気を給気として前記再熱部へ供給するものとして構成され、
前記再熱部の作動状態に応じて目標給気温度を設定する目標給気温度設定処理を実行し、前記温度調整部の作動状態を制御して前記空調機から前記再熱部に供給される給気の温度を前記目標給気温度に調整する給気温度制御を実行する制御部を備えた点にある。
【０００８】
本構成によれば、空調機が備える外気冷却除湿部では、還気が混合される前の外気のみを対象として冷却除湿を行うので、還気が混合された後の混合空気全体を冷却除湿する場合と比較して、冷却量を減少させて冷熱源の負荷を削減することができる。更に、屋内から取り込んだ還気は屋外から取り込んだ外気よりも低温且つ低湿であることから、外気冷却除湿部で冷却除湿した外気に対して混合部にて還気を混合して混合空気を生成すれば、その混合空気は比較的低温且つ低湿なものに維持されることになる。よって、空調機の温度調整部では、比較的少ない熱量にて混合空気の顕熱を処理する形態で、還気が混合されて昇温した混合空気に対して適宜冷却又は加熱を行って当該混合空気の温度を調整し、その温度調整後の混合空気を給気として再熱部へ供給することができる。
【０００９】
更に、制御部により目標給気温度設定処理及び給気温度制御を実行し、温度調整部の作動状態を制御することで、空調機から再熱部に供給される給気の温度を、再熱部の作動状態に応じて設定された目標給気温度に調整することができる。よって、再熱部において必要な再熱量を減少させて、温熱源の負荷を削減することができる。
従って、本発明により、空調機で冷却除湿された給気を、空調対象空間側の再熱部で再熱して、空調対象空間へ供給する空調システムにおいて、熱源の負荷を削減して省エネルギー性を向上しながら、空調対象空間に対して所望の目標吹出温度に調整した吹出空気を供給することができる技術を提供することができる。
【００１０】
本発明の第２特徴構成は、前記空調機から供給された給気を複数の空調対象空間の夫々に対して分配供給する複数の分配経路を備え、
前記再熱部が、前記複数の分配経路の夫々に設けられ、
前記制御部が、前記目標給気温度設定処理において、前記複数の分配経路の夫々の再熱部の作動状態に応じて前記目標給気温度を設定する点にある。
【００１１】
本構成によれば、空調機から供給された給気を複数の分配経路の夫々を介して複数の空調対象空間の夫々に分配し、それら複数の分配経路の夫々に再熱部を設けることができる。よって、複数の再熱部の夫々において、空調機から分配供給された給気を、対応する空調対象空間に対して個別に設定された目標吹出温度に適切に再熱した上で、当該空調対象空間に供給することができる。
【００１２】
本発明の第３特徴構成は、前記制御部が、前記目標給気温度設定処理において、前記複数の空調対象空間の夫々において設定された目標吹出温度を前記夫々の再熱部の作動状態として取得し、前記目標給気温度を、当該取得した夫々の目標吹出温度の最低温度以下に設定する点にある。
【００１３】
本構成によれば、制御部により目標給気温度設定処理を実行するにあたり、空調機の温度調整部に対して設定される目標給気温度を、複数の空調対象空間の夫々の目標吹出温度の最低温度以下に設定することができる。すると、複数の再熱部の夫々に対して空調機から供給される給気の温度は、目標吹出温度以下となる。よって、複数の再熱部の夫々において空調機から分配供給された給気を適宜再熱することで、夫々の再熱部から夫々の空調対象空間に対して供給される吹出空気の温度を目標吹出温度に維持することができる。
【００１４】
本発明の第４特徴構成は、前記制御部が、前記目標給気温度設定処理において、前記複数の空調対象空間の夫々において設定された目標吹出温度を前記夫々の再熱部の作動状態として取得し、前記目標給気温度を、当該取得した夫々の目標吹出温度の最低温度に設定すると共に、前記複数の再熱部の少なくとも１つでの再熱が停止している場合には前記目標給気温度を低下側に補正する点にある。
【００１５】
本構成によれば、制御部により目標給気温度設定処理を実行して、空調機の温度調整部に対して設定される目標給気温度を、複数の空調対象空間の夫々において設定された目標吹出温度の最低温度に設定するにあたり、複数の再熱部の少なくとも１つでの再熱が停止している場合には、目標給気温度を低下側に補正することができる。すると、空調機から複数の再熱部の夫々に対して供給される給気の温度は、適宜低下することで、夫々の再熱部において一定以上の再熱量を確保し得る温度に維持されることになる。よって、夫々の再熱部に対して目標吹出温度以上の給気が空調機から供給されることを確実に回避して、空調対象空間に対して供給される吹出空気の温度が目標吹出温度以上となることを防止することができる。
【００１６】
本発明の第５特徴構成は、前記制御部が、前記目標給気温度設定処理において、前記複数の空調対象空間の夫々において設定された目標吹出温度を前記夫々の再熱部の作動状態として取得し、前記目標給気温度を、当該取得した夫々の目標吹出温度の最低温度よりも所定の余裕分低い温度に設定する点にある。
【００１７】
本構成によれば、制御部により目標給気温度設定処理を実行するにあたり、空調機の温度調整部に対して設定される目標給気温度を、複数の空調対象空間の夫々において設定された目標吹出温度の最低温度よりも所定の余裕分低い温度に設定することができる。すると、複数の再熱部の夫々に対して空調機から供給される給気の温度は、確実に目標吹出温度を少なくとも上記余裕分下回るものとなる。よって、複数の再熱部の夫々において空調機から分配供給された給気を少なくとも上記余裕分の温度上昇をさせるための再熱量で再熱することで、夫々の再熱部から夫々の空調対象空間に対して供給される吹出空気の温度を確実に目標吹出温度に維持することができる。
【００１８】
本発明の第６特徴構成は、前記制御部が、前記目標給気温度設定処理において、前記夫々の再熱部の再熱量を前記夫々の再熱部の作動状態として取得し、前記目標給気温度を、当該取得した夫々の再熱部の再熱量の少なくとも１つが所定の低再熱量となる温度に設定する点にある。
【００１９】
本構成によれば、制御部により目標給気温度設定処理を実行するにあたり、空調機の温度調整部に対して設定される目標給気温度を、最も負荷が少ない再熱部での再熱量が例えば０乃至低めに設定された低再熱量となる温度に設定することができる。すると、再熱部に対して空調機から供給される給気の温度は、空調対象空間において設定された目標吹出温度と略同じ温度又はそれよりも若干低い温度となり、結果、再熱部において必要な再熱量を低めに維持することができる。尚、この再熱部での再熱量は、再熱部への温水の供給量を調整可能な流量調整弁の開度等で判断することができる。
【００２０】
本発明の第７特徴構成は、前記制御部が、前記目標給気温度設定処理において、前記夫々の再熱部の再熱量を前記夫々の再熱部の作動状態として取得し、前記目標給気温度を、当該取得した夫々の再熱部の再熱量の少なくとも１つが０となる温度に設定すると共に、前記空調対象空間の温度が設定温度を超える場合には前記目標給気温度を低下側に補正する点にある。
【００２１】
本構成によれば、制御部により目標給気温度設定処理を実行して、空調機の温度調整部に対して設定される目標給気温度を、夫々の再熱部の再熱量の少なくとも１つが０となる温度に設定するにあたり、空調対象空間の温度が設定温度を超える場合には、目標給気温度を低下側に補正することができる。すると、空調機から複数の再熱部の夫々に対して供給される給気の温度は、適宜低下することで、夫々の再熱部において一定以上の再熱量を確保し得る温度に維持されることになる。よって、夫々の再熱部に対して目標吹出温度以上の給気が空調機から供給されることを確実に回避して、空調対象空間の温度の無用な上昇を抑制することができる。
【００２２】
本発明の第８特徴構成は、前記制御部が、前記目標給気温度設定処理において、前記夫々の再熱部の再熱量を前記夫々の再熱部の作動状態として取得し、前記目標給気温度を、当該取得した夫々の再熱部の再熱量の少なくとも１つが０よりも所定の余裕分高くなる温度に設定する点にある。
【００２３】
本構成によれば、制御部により目標給気温度設定処理を実行するにあたり、空調機の温度調整部に対して設定される目標給気温度を、夫々の再熱部の再熱量の少なくとも１つが０よりも所定の余裕分高くなる温度に設定することができる。すると、複数の再熱部の夫々に対して空調機から供給される給気の温度は、確実に目標吹出温度よりも若干下回るものとなる。よって、複数の再熱部の夫々において空調機から分配供給された給気を若干温度上昇をさせるための再熱量で再熱することで、夫々の再熱部から夫々の空調対象空間に対して供給される吹出空気の温度を確実に目標吹出温度に維持することができる。
【図面の簡単な説明】
【００２４】
【図１】本実施形態に係る空調システムの構成を示す図
【発明を実施するための形態】
【００２５】
本発明の実施形態について、図１を参照して説明する。
本実施形態の空調システム（以下「本空調システム」と呼ぶ。）は、クリーンルームなどの工場施設やオフィスビルなどの商業施設などに設置され、主に、空調機１で冷却除湿された給気ＳＡ１を、空調対象空間Ｒ側に設けられた再熱部２０で当該空調対象空間Ｒに対して設定された目標吹出温度に再熱して、空調対象空間Ｒへ供給するものとして構成されている。
【００２６】
空調機１には、屋外から取り込んだ外気ＯＡと屋内（例えば空調対象空間Ｒ）から取り込んで屋外に排出される還気ＲＡとの全熱交換を行う全熱交換部３、当該全熱交換部３を通過した外気ＯＡを冷却除湿する外気冷却除湿部４、当該外気冷却除湿部４で冷却除湿された外気ＯＡに屋内から取り込んだ還気ＲＡを混合して混合空気ＭＡを生成する混合部１０、当該混合部１０で生成された混合空気ＭＡの温度を調整する温度調整部６、当該温度調整部６で温度調整された混合空気ＭＡを給気ＳＡ１として排出する給気用ファン９等が設けられている。そして、空調機１から排出された給気ＳＡ１が再熱部２０に供給される。
尚、この空調機１には、屋外から取り込んだ外気ＯＡや再熱部２０に供給する給気ＳＡ１を浄化するためのフィルタや、給気ＳＡ１を加湿するための加湿器等を設けることができる。
【００２７】
空調機１に設けられた外気冷却除湿部４は、外気ＯＡを冷水ＣＷとの熱交換により露点未満に冷却して除湿する冷水コイルで構成されている。また、外気冷却除湿部４への冷水ＣＷの供給量を調整可能な流量調整弁１２が設けられている。そして、流量調整弁１２の開度を調整して外気冷却除湿部４への冷水ＣＷの供給量を調整することで、当該外気冷却除湿部４での外気ＯＡに対する冷却量を調整することができる。
【００２８】
空調機１に設けられた温度調整部６は、混合空気ＭＡを冷水ＣＷとの熱交換により冷却可能な冷水コイルで構成された冷却部７と、混合空気ＭＡを温水ＨＷとの熱交換により加熱可能な温水コイルで構成された加熱部８とを、混合空気ＭＡの流れに沿って並設して構成されている。また、冷却部７への冷水ＣＷの供給量を調整可能な流量調整弁１３と、加熱部８への温水ＨＷの供給量を調整可能な流量調整弁１４とが設けられている。そして、流量調整弁１３，１４の夫々の開度を調整して冷却部７への冷水ＣＷの供給量及び加熱部８への温水ＨＷの供給量を夫々調整することで、当該冷却部７及び加熱部８からなる温度調整部６での混合空気ＭＡに対する冷却量又は加熱量を調整することができる。
【００２９】
本空調システムでは、複数の空調対象空間Ｒが設けられており、空調機１から供給された給気ＳＡ１を当該複数の空調対象空間Ｒの夫々に対して分配供給する複数の分配経路１７が設けられており、再熱部２０は、夫々の空調対象空間Ｒ側にある複数の分配経路１７の夫々に設けられている。そして、夫々の再熱部２０からは、当該再熱部２０で目標吹出温度に再熱された給気ＳＡ１が吹出空気ＳＡ２として生成され、当該生成された吹出空気ＳＡ２が対応の空調対象空間Ｒに供給される。
【００３０】
再熱部２０は、空調機１から供給された給気ＳＡ１を温水ＨＷとの熱交換により加熱する加熱コイルで構成されている。また、再熱部２０への温水ＨＷの供給量を調整可能な流量調整弁２１が設けられている。そして、流量調整弁２１の開度を調整して再熱部２０への温水ＨＷの供給量を調整することで、当該再熱部２０での給気ＳＡ１に対する再熱量（加熱量）を調整することができる。即ち、この流量調整弁２１の開度は、当該流量調整弁２１を通じて温水ＨＷが供給される再熱部２０での再熱量に対応するものとなる。
【００３１】
複数の空調対象空間Ｒから取り出された還気ＲＡは、還気用ファン３１を通じて空調機１に供給される。具体的に、空調機１に供給される還気ＲＡのうち、一部は流量調整ダンパ３５による流量調整を伴って空調機１の全熱交換部３に供給され、残部は流量調整ダンパ３６による流量調整を伴って空調機１の混合部１０に供給される。
そして、全熱交換部３に供給された還気ＲＡは、全熱交換部３において外気ＯＡとの全熱交換を行った後に屋外へ排出され、一方、混合部１０に供給された還気ＲＡは、外気冷却除湿部４にて冷却除湿された外気ＯＡに混合された上で、温度調整部６で冷却または加熱され、給気ＳＡ１として再熱部２０に供給された後に、吹出空気ＳＡ２として空調対象空間Ｒに供給される。尚、本実施形態では、外気ＯＡ還気ＲＡとの全熱交換を行う全熱交換部３を設けたが、この全熱交換部３は適宜省略しても構わない。
【００３２】
以上のような構成により、空調機１が備える外気冷却除湿部４では、還気ＲＡが混合される前の外気ＯＡのみを対象として冷却除湿が行われることになる。よって、還気ＲＡが混合された後の混合空気ＭＡ全体を冷却除湿する場合と比較して、外気冷却除湿部４における冷却量が減少し、結果、当該外気冷却除湿部４に対して冷水ＣＷを供給する冷熱源の負荷が削減されることになる。
更に、還気ＲＡは外気ＯＡよりも低湿であることから、外気冷却除湿部４で冷却除湿した外気ＯＡに対して混合部１０にて還気ＲＡを混合して混合空気ＭＡを生成すれば、その混合空気ＭＡは比較的低湿なものに維持される。このことから、空調機１の温度調整部６では、還気ＲＡが混合されて昇温した混合空気ＭＡに対して冷却部７による冷却又は加熱部８による加熱を適宜行って、比較的少ない熱量にて混合空気ＭＡの顕熱を処理する形態で、当該混合空気ＭＡの温度を調整し、その温度調整後の混合空気ＭＡを給気ＳＡ１として夫々の再熱部２０へ分配供給することができる。そして、複数の再熱部２０の夫々において、空調機１から分配供給された給気ＳＡ１を、それを吹出空気ＳＡ２として供給する空調対象空間Ｒに対して個別に設定された目標吹出温度に適切に再熱した上で、当該空調対象空間Ｒに供給することができる。
【００３３】
本空調システムには、後述する目標給気温度設定処理、給気温度制御、並びに、吹出温度制御を実行する制御部５０が設けられている。以下、この制御部５０により実行される各種制御のための詳細な構成について説明する。
【００３４】
空調機１から再熱部２０に供給される給気ＳＡ１の温度を検出する給気温度センサ１５が設けられている。そして、制御部５０は、この給気温度センサ１５で検出された給気ＳＡ１の実際の温度を参照しながら、流量調整弁１３，１４の夫々の開度調整により温度調整部６の冷却量又は加熱量を調整する形態で、当該温度調整部６の作動状態を制御して、空調機１から再熱部２０に供給される給気ＳＡ１の温度を所定の目標給気温度に調整する給気温度制御を実行するように構成されている。
尚、この目標給気温度は、制御部５０が後述する目標給気温度設定処理を実行することにより設定される温度として取得される。
【００３５】
再熱部２０から空調対象空間Ｒに供給される吹出空気ＳＡ２の温度を検出する吹出温度センサ２２が設けられている。また、空調対象空間Ｒには、室内温度を検出する室内温度センサ２３が設けられている。そして、制御部５０は、この吹出温度センサ２２で検出された吹出空気ＳＡ２の実際の温度と室内温度センサ２３で検出された実際の室内温度とを参照しながら、流量調整弁２１の開度調整により再熱部２０の再熱量を調整する形態で、当該再熱部２０の作動状態を制御して、再熱部２０から空調対象空間Ｒに供給される吹出空気ＳＡ２の温度を所定の目標吹出温度に調整する吹出温度制御を実行するように構成されている。
【００３６】
更に、制御部５０は、空調機１から再熱部２０に供給される給気ＳＡ１の温度を所定の目標給気温度に調整する給気温度制御を実行するにあたり、夫々の再熱部２０の作動状態に応じて上記目標給気温度を設定する目標給気温度設定処理を実行するように構成されている。
即ち、制御部５０により目標給気温度設定処理及び給気温度制御を実行し、温度調整部６の冷却量又は加熱量を制御することで、空調機１から再熱部２０に供給される給気ＳＡ１の温度を、再熱部２０の作動状態に応じて設定された目標給気温度に調整されることになる。このことで、再熱部２０では、必要な再熱量が減少し、当該再熱部２０に温水ＨＷを供給する温熱源の負荷が削減されることになる。
【００３７】
上記給気温度制御を実行するにあたり、再熱部２０の作動状態に応じて上記目標給気温度を設定するための目標給気温度設定処理の形態としては、以下に説明する目標給気温度設定処理の何れかの形態を採用することができる。以下、夫々の形態の目標給気温度設定処理の詳細について、順に説明を加える。
【００３８】
［第１形態の目標給気温度設定処理］
第１形態の目標給気温度設定処理において、制御部５０は、複数の空調対象空間Ｒの夫々において設定された目標吹出温度を、再熱部２０の作動状態として取得し、それら取得した複数の目標吹出温度から最低の目標吹出温度（以下「最低目標吹出温度」と呼ぶ。）を選択する。
そして、空調機１から再熱部２０に供給される給気ＳＡ１の温度の制御目標となる目標給気温度を、上記最低目標吹出温度に設定した上で、前述の給気温度制御を実行する。
すると、複数の再熱部２０の夫々に対して空調機１から供給される給気ＳＡ１の温度は、目標吹出温度以下に維持される。よって、複数の再熱部２０の夫々においては、空調機１から分配供給された給気ＳＡ１が適宜再熱されて、夫々の再熱部２０から夫々の空調対象空間Ｒに対して供給される吹出空気ＳＡ２の温度が所望の目標吹出温度に維持されることになる。
【００３９】
また、制御部５０は、上記のような目標給気温度設定処理を実行して目標給気温度を複数の空調対象空間Ｒの夫々において設定された目標吹出温度の最低温度に設定するにあたり、複数の再熱部２０の作動状態を確認して適宜所定の補正処理を実行する。
この補正処理では、複数の再熱部２０の夫々に設けられた温水ＨＷの供給量を調整するための流量調整弁２１の開度を確認する。そして、流量調整弁２１が全閉状態となっていて再熱が停止していると判断される再熱部２０が少なくとも１つ存在している場合には、上記目標給気温度設定処理により設定された目標給気温度を例えば数℃低下側に補正する。
すると、空調機１から複数の再熱部２０の夫々に対して供給される給気ＳＡ１の温度は、当該複数の再熱部２０において一定以上の再熱量を確保し得る程度まで低下して維持されることになる。よって、夫々の再熱部２０に対して目標吹出温度以上の給気ＳＡ１が空調機１から供給されることが確実に回避されるので、空調対象空間Ｒに対して供給される吹出空気ＳＡ２が再熱部２０により確実に目標吹出温度に再熱されることになって、当該吹出空気ＳＡ２が目標吹出温度を超えることが確実に防止されることになる。
【００４０】
［第２形態の目標給気温度設定処理］
第２形態の目標給気温度設定処理において、制御部５０は、複数の空調対象空間Ｒの夫々において設定された目標吹出温度を、再熱部２０の作動状態として取得し、それら取得した複数の目標吹出温度から最低の目標吹出温度（以下「最低目標吹出温度」と呼ぶ。）を選択する。
そして、空調機１から再熱部２０に供給される給気ＳＡ１の温度の制御目標となる目標給気温度を、上記最低目標吹出温度よりも例えば数℃の余裕分低い温度に設定した上で、前述の給気温度制御を実行する。
すると、複数の再熱部２０の夫々に対して空調機１から供給される給気ＳＡ１の温度は、確実に目標吹出温度よりも低い温度に維持される。よって、夫々の再熱部２０に対して目標吹出温度以上の給気ＳＡ１が空調機１から供給されることが確実に回避されるので、空調対象空間Ｒに対して供給される吹出空気ＳＡ２が再熱部２０により確実に目標吹出温度に再熱される。このことで、夫々の再熱部２０から夫々の空調対象空間Ｒに対して供給される吹出空気ＳＡ２の温度が確実に所望の目標吹出温度に維持され、当該吹出空気ＳＡ２の温度が目標吹出温度を超えることが確実に防止されることになる。
【００４１】
［第３形態の目標給気温度設定処理］
第３形態の目標給気温度設定処理において、制御部５０は、複数の再熱部２０の夫々の再熱量に対応する複数の流量調整弁２１の夫々の開度を、再熱部２０の作動状態として取得する。そして、複数の流量調整弁２１の夫々の開度のうち、例えば最小となる少なくとも１つの開度が０（低再熱量に相当する）となるように、空調機１から再熱部２０に供給される給気ＳＡ１の温度の制御目標となる目標給気温度を設定した上で、前述の給気温度制御を実行する。
すると、複数の再熱部２０の夫々に対して空調機１から供給される給気ＳＡ１の温度は、少なくとも１つの再熱部２０での目標吹出温度と略同じ温度となる。よって、夫々の再熱部２０において必要な再熱量が低めに維持されることになる。
更に、制御部５０は、室内温度センサ２３で検出される室内温度が設定温度を超える場合には、上記目標給気温度を低下側に補正して、当該室内温度の無用な上昇を抑制することができる。
【００４２】
［第４形態の目標給気温度設定処理］
第４形態の目標給気温度設定処理において、制御部５０は、複数の再熱部２０の夫々の再熱量に対応する複数の流量調整弁２１の夫々の開度を、再熱部２０の作動状態として取得する。そして、複数の流量調整弁２１の夫々の開度のうち、例えば最小となる少なくとも１つの開度が小さめの最低開度（低再熱量に相当する）となるように、空調機１から再熱部２０に供給される給気ＳＡ１の温度の制御目標となる目標給気温度を設定した上で、前述の給気温度制御を実行する。
すると、複数の再熱部２０の夫々に対して空調機１から供給される給気ＳＡ１の温度は、少なくとも１つの再熱部２０での目標吹出温度よりも若干低い温度となる。よって、夫々の再熱部２０において必要な再熱量が低めに維持されることになる。
更に、制御部５０は、複数の流量調整弁２１の夫々の開度のうちの例えば最小となる少なくとも１つの開度が上記最低開度よりも小さい側に変化した場合には、上記目標給気温度を低下側に補正して、流量調整弁２１の全閉に伴う室内温度の無用な上昇を未然に回避することができる。
【００４３】
〔別実施形態〕
本発明の他の実施形態について説明する。尚、以下に説明する各実施形態の構成は、それぞれ単独で適用することに限らず、他の実施形態の構成と組み合わせて適用することも可能である。
【００４４】
（１）上記実施形態では、複数の分配経路１７を設けて、空調機１から供給された給気ＳＡ１を、これら分配経路１７を通じて複数の空調対象空間Ｒの夫々に対して分配供給するように構成したが、空調対象空間Ｒの数については適宜変更することができ、例えば単一の空調対象空間Ｒに対して空調機１から給気ＳＡ１を供給するように構成しても構わない。
【００４５】
（２）上記実施形態では、目標給気温度設置処理において、空調機１から再熱部２０に供給される給気ＳＡ１の温度の制御目標となる目標給気温度を、複数の空調対象空間Ｒの夫々において設定された目標吹出温度や複数の再熱部２０における夫々の流量調整弁２１の開度等に応じて設定したが、目標給気温度については、例えば最低目標吹出温度以下に設定するなど、その設定方法等については適宜変更しても構わない。
【符号の説明】
【００４６】
１      空調機
４      外気冷却除湿部
６      温度調整部
７      冷却部（温度調整部）
８      加熱部（温度調整部）
１０    混合部
１７    分配経路
２０    再熱部
５０    制御部
ＭＡ    混合空気
ＯＡ    外気
Ｒ      空調対象空間
ＲＡ    還気
ＳＡ１  給気
ＳＡ２  吹出空気
【図１】
2019143826.tif 000003